(57)【要約】【課題】地盤の斜面の下に土砂と固化材の混合固化物からなる改良杭を設ける土構造物のすべり破壊対策において、所定のすべり破壊防止性能を得るのにかかるコストを低減する。【解決手段】すべり破壊防止構造１は、地盤２の斜面２１の下に、土砂と固化材の混合固化物である改良体３１からなり、想定されるすべり面２２を鉛直方向に貫通するように、かつ、互いに所定間隔を空けつつ水平方向に沿って複数並ぶように設けられた柱状の改良杭３を備えたものであって、複数の改良杭３のうちの少なくとも一部の改良杭３は、水平断面が、斜面２１下方に向かうに従って広がる扇形をなしている。【選択図】図２
2018021353.tif 000002
【特許請求の範囲】
【請求項１】
地盤の斜面の下に、土砂と固化材の混合固化物である改良体からなり、想定されるすべり面を鉛直方向に貫通するように、かつ、互いに所定間隔を空けつつ水平方向に沿って複数並ぶように設けられた柱状の改良杭を備えた土構造物のすべり破壊防止構造であって、
複数の前記改良杭のうちの少なくとも一部の改良杭は、水平断面が、前記斜面下方に向かうに従って広がる扇形をなしていることを特徴とする土構造物のすべり破壊防止構造。
【請求項２】
前記扇形の中心角が９０°未満となっていることを特徴とする請求項１に記載の土構造物のすべり破壊防止構造。
【請求項３】
前記改良杭の、前記斜面上方側へ偏心した位置に、前記改良体の中に鉛直方向に延びるように通され、前記改良体に定着する芯材が設けられていることを特徴とする請求項１または２に記載の土構造物のすべり破壊防止構造。
【請求項４】
地盤の斜面の下に、土砂と固化材の混合固化物である改良体からなる柱状の改良杭を、想定されるすべり面を鉛直方向に貫通するように、かつ、互いに所定間隔を空けつつ水平方向に沿って複数並ぶように設ける土構造物のすべり破壊防止方法であって、
前記地盤に棒状のノズルを鉛直に挿入し、前記ノズルの下端部から液状の固化材を高圧で噴出させることにより前記固化材を前記地盤の土砂と混合させる噴射攪拌工法を用い、
前記ノズルを前記地盤に挿入するとともに、前記噴出孔を前記斜面下方に向け、前記ノズルを所定角度で首振りさせつつ上昇させながら前記固化材を噴射することで、前記地盤内の前記土砂と前記固化剤とを混合し、
前記土砂と前記固化材の混合物を固化させることを特徴とする土構造物のすべり破壊防止方法。
【発明の詳細な説明】
【技術分野】
【０００１】
本発明は、地盤の斜面の下に土砂と固化材の混合固化物からなる柱状の改良杭を備えた土構造物のすべり破壊防止構造、および地盤の中に改良杭を設ける土構造物のすべり破壊防止方法に関する。
【背景技術】
【０００２】
土構造物（盛土等）の法面や自然に存在する斜面では、大雨や地震によってすべり破壊が発生することがある。また、斜面の上または下には、軌道や道路、建物（以下軌道等）が設けられていることがある。こうしたところですべり破壊が起こると、軌道等が崩れる、或いは土砂に埋もれる、といった大きな被害に繋がってしまう。このため、軌道等の近くに存在する斜面には、予めすべり破壊を起きにくくする対策を施しておく必要がある。
すべり破壊を起きにくくする方法としては、従来、斜面の下に、土砂と固化材からなる柱状の改良杭を、想定されるすべり面を貫通するように形成する、といったものが提案されている（特許文献１参照）。
【先行技術文献】
【特許文献】
【０００３】
【特許文献１】特開２０１６−００３４３３号公報
【発明の概要】
【発明が解決しようとする課題】
【０００４】
土砂には、常に斜面下方に向かう力が働いているので、改良杭と改良杭との間の土砂は、その間をすり抜けようとするのだが、この土砂には、アーチ作用と呼ばれるすり抜けを抑制する効果が働く。アーチ作用とは、図８に示したように、改良杭側面の摩擦抵抗力Ｆ３により、改良杭と改良杭の間に改良杭側面を支点Ｐとしたアーチ状の帯域Ａが形成され、この帯域Ａの内部に軸圧縮力Ｆ４が発生することにより、すり抜けが抑制される。この効果は、一般的に、改良杭間の幅が狭く、改良杭側面の面積が大きいほど高くなる。
特許文献１に記載されたような従来の改良杭は、円柱状をしているため、摩擦抵抗力が働く側面は、斜面上方側半分の範囲であった。このため、アーチ作用が弱く土砂のすり抜けを抑制する効果が低かった。そこで、従来は、改良杭の設置間隔を狭くすることで対処していたのだが、そうすると、改良杭を多く設置する必要がある。改良杭を多く設けるということは、その分だけ固化材が多く必要となり、工期が長期化することになる。
つまり、従来のすべり破壊防止対策は、所定のすべり破壊防止性能を得るのに、多大なコストがかかっていた。
【０００５】
本発明は、上記のような課題を解決するためになされたもので、地盤の斜面の下に土砂と固化材の混合固化物からなる改良杭を設ける土構造物のすべり破壊対策において、所定のすべり破壊防止性能を得るのに必要なコストを低減することを目的とする。
【課題を解決するための手段】
【０００６】
以上の課題を解決するため、本出願に係る一の発明は、地盤の斜面の下に、土砂と固化材の混合固化物である改良体からなり、想定されるすべり面を鉛直方向に貫通するように、かつ、互いに所定間隔を空けつつ水平方向に沿って複数並ぶように設けられた柱状の改良杭を備えたすべり破壊防止構造であって、複数の前記改良杭のうちの少なくとも一部の改良杭は、水平断面が、前記斜面下方に向かうに従って広がる扇形をなしていることを特徴とする。
【０００７】
本発明が備える水平断面扇形の改良杭は、この改良杭と水平断面積が等しい従来の円柱状の改良杭に比べ、摩擦抵抗力を評価できる面（すり抜けに抵抗する面）の面積が大きいので、その分だけアーチ作用が大きくなる。
また、水平断面扇形の改良杭は、水平断面積が等しい従来の円柱状の改良杭に比べ、基礎底面の斜面下方側の端部の面積が広いので、その分だけすべりによる作用を受けた際に基礎底面での地盤反力が大きくなり、回転変位しにくくなる。
このため、本発明は、水平断面積が等しい円柱状の改良杭のみが設けられた従来のすべり破壊防止構造よりも、地盤をより強力に支持することができるとともに、土砂のすり抜けを効果的に抑制することができる。
【０００８】
また、このように従来よりも高いすべり破壊防止性能を発揮する水平断面扇形の改良杭は、水平断面積が等しい従来の円柱状と同程度の施工コストで設けることができる。
逆に言えば、水平断面扇形の改良杭の設置間隔を広げる、扇形の中心角を小さくする、或いは、有効高さを小さくすることにより、従来と同程度のすべり破壊防止性能を得るのに必要なコストを低減することができる。
【０００９】
なお、上記発明において、前記扇形の中心角が９０°未満となっているものとしてもよい。
このようにすれば、改良杭の斜面傾斜方向と直交する方向の幅を水平断面積が等しい従来の円柱状の改良杭より太くすることなく、従来の改良杭よりも斜面の傾斜方向の幅を大きくすることができる。すなわち、水平断面扇形の改良杭は、水平断面積が等しい従来の円柱状の改良杭と比べて曲げ耐力が高くなる。このため、本発明は、円柱状の改良杭のみが設けられた従来のすべり破壊防止構造よりも、地盤をより強力に支持することができる。
【００１０】
また、上記発明において、前記改良杭の、前記斜面上方側へ偏心した位置に、前記改良体の中に鉛直方向に延びるように通され、前記改良体に定着する芯材が設けられているものとしてもよい。
このようにすれば、すべりによる作用に対する曲げ耐力が更に向上するので、すべり破壊をより一層起きにくくすることができる。
【００１１】
また、本出願に係る他の発明は、地盤の斜面の下に、土砂と固化材の混合固化物である改良体からなる柱状の改良杭を、想定されるすべり面を鉛直方向に貫通するように、かつ、互いに所定間隔を空けつつ水平方向に沿って複数並ぶように設けるすべり破壊防止方法であって、前記地盤に棒状のノズルを鉛直に挿入し、前記ノズルの下端部から液状の固化材を高圧で噴出させることにより前記固化材を前記地盤の土砂と混合させる噴射攪拌工法を用い、前記ノズルとして、下端部に、当該ノズルの軸方向と直交する方向を向く噴出孔を一つ有したものを用い、前記ノズルを前記地盤に挿入し、所定角度で首振りさせつつ上昇させながら前記固化材を噴射することで、前記地盤内の前記土砂と前記固化剤とを混合し、前記土砂と前記固化材の混合物を固化させることを特徴とする。
【００１２】
本発明によれば、従来用いられている工法において、ノズルの回転角度を調節するだけで、従来よりもすべり破壊防止効果の高い地盤構造を、従来と同程度の施工コストで容易に設けることができる。また、従来と同程度のすべり破壊防止効果を有する地盤構造を、従来よりも低コストで設けることができる。
【発明の効果】
【００１３】
本発明によれば、地盤の斜面の下に土砂と固化材の混合固化物からなる改良杭を設ける土構造物のすべり破壊対策における、所定のすべり破壊防止性能を得るのに必要なコストを低減するができる。
【図面の簡単な説明】
【００１４】
【図１】本発明の実施形態に係る土構造物のすべり破壊防止構造の縦断面図（図２のＩ−Ｉ断面図）である。
【図２】図１の土構造物のすべり破壊防止構造の平面図である。
【図３】図１の土構造物のすべり破壊防止構造に用いられる改良杭の平面図である。
【図４】図１の土構造物のすべり破壊防止構造の施工工程の一部を示した縦断面図である。
【図５】（ａ）は図３の改良杭の平面図であり、（ｂ）は従来の改良杭の平面図である。
【図６】（ａ）は図３の改良杭の平面図であり、（ｂ）は従来の改良杭の平面図である。
【図７】（ａ）は図３の改良杭の平面図および側面図であり、（ｂ）は従来の改良杭の平面図および側面図である。
【図８】地盤内におけるアーチ作用を説明するための模式図である。
【発明を実施するための形態】
【００１５】
（土構造物のすべり破壊防止構造）
まず、図１，２を参照して、本発明の実施形態に係る土構造物のすべり破壊防止構造（以下すべり破壊防止構造１）の概略構成について説明する。図１はすべり破壊防止構造１の縦断面図（図２のＩ−Ｉ断面図）であり、図２は図１の平面図である。
すべり破壊防止構造１は、斜面２１を有し、水平方向（図１の紙面と直交する方向、図２の上下方向）に連続して存在する地盤２の中に、複数の改良杭３を備えたものとなっている。なお、本発明が対象とする地盤２は、自然斜面であってもよいし、人工的に構築した盛土等の土構造物であってもよい。
このような斜面２１を有する地盤２は、補強が十分でない場合、図１，２において２２で示したような側面視円弧状の曲面（以下すべり面）を境にして、斜面２１側の土砂が崩壊し、下方にすべり落ち易くなることが知られている。
【００１６】
各改良杭３は、図１に示したように、地盤２の中であって斜面２１の下方に、鉛直方向に延びる柱状となるように、かつ、想定されるすべり面２２を貫通するように形成されている。
また、各改良杭３は、図２に示したように、地盤２の連続する方向（斜面２１に沿いかつ斜面２１の傾斜方向と直交する方向）に沿って、互いに所定間隔を空けつつ複数本並ぶように設けられている。
なお、地盤２に設置する改良杭は、全てを水平断面扇形の改良杭３としてもよいし、一部だけとしてもよい。
【００１７】
次に、上記すべり破壊防止構造１を構成する改良杭３の具体的構成について説明する。図３は、本実施形態の改良杭３の平面図である。
各改良杭３は、図３に示したように、改良杭３の大部分をなす改良体３１、改良体３１内に設けられた芯材３２等からなる。
【００１８】
改良体３１は、セメントスラリー等の固化材と土砂の混合物が固化したもので、上述したすべり面２２を鉛直方向に貫通する柱状に形成されている。
改良体３１（改良杭３）を水平面で切断した時の断面形状は、図２，３に示したように、斜面２１下方に向かうに従って広がる扇形となっている。
なお、図２，３には、扇形の中心角が４０°〜５０°程度となっているものを示したが、中心角の大きさは図示した角度に限られるものでは無く、好ましくは９０°未満であればよい。その理由については後述する。
【００１９】
芯材３２は、形鋼等の鋼材やＦＲＰ等、改良体３１よりも引張強度の高い材料で棒状に形成されたものである。そして、芯材３２は、図１，３に示したように、改良体３１の中心よりも、斜面２１上方側に偏心した位置にある部位の中に、鉛直方向に延び、かつ、下端が改良体３１の下端まで達するように配設され、改良体３１に定着している。
なお、図１，３には、各改良体３１の中に芯材３２が一本だけ設けられたものを例示したが、必要に応じて複数本設けるようにしてもよい。また、改良体３１と芯材３２との間にモルタルなどの充填材を介在させたものとしてもよい。また、芯材３２の上端部を改良体３１の上に突出させ、突出した部位を、コンクリート等の改良体よりも剛性の高い材料に定着させるようにしてもよい。
【００２０】
（土構造物のすべり破壊防止方法）
次に、地盤２を上述したようなすべり破壊防止構造１とする方法について説明する。図４は、すべり破壊防止構造１の施工工程の一部を示した図である。
本実施形態の地盤２の補強方法は、準備工程、改良体形成工程、芯材挿入工程等からなる。
【００２１】
初めの準備工程では、まず、施工対象の地盤２におけるすべり破壊の起き易さを調べる。調べる項目としては、土質、斜面２１の傾斜の大きさ、斜面の高さ、また、解析から求まるすべり面２２の位置と大きさ等が挙げられる。
すべり破壊の起き易さを調べた後は、調べたすべり破壊の起き易さに基づいて、これから形成する改良杭３の寸法（水平断面（扇形）の半径の大きさや中心角θの大きさ、高さ等）を決定する。
【００２２】
改良杭３の寸法を決定した後は、改良体形成工程に進む。本実施形態の改良体形成工程では、例えば、高圧噴射撹拌工法を用いて改良体３１の形成を行う。まず、地盤２の中に固化材ｇを噴射する機材ＭのノズルＮを挿入する。使用するノズルＮには、下端部に、ノズルの延設方向と直交する方向を向く噴出孔を一つだけ有するものを使用し、噴出孔が斜面下方側を向くように挿入する。なお、図４には、斜面の上に足場を組んで、その上に機材Ｍを設置した例を示したが、斜面２２の下にノズルを支持するアームを備えた重機を用いてもよい。
【００２３】
地盤２にノズルＮを差し込んだ後は、ノズルＮに固化材ｇを圧送し、地盤２内に固化材ｇを噴射する。上述したように、ノズルＮの噴出孔は、ノズルＮの延設方向と直交する方向を向くように形成されており、ノズルＮは噴出孔が斜面下方側を向くように挿入されているので、鉛直に挿入されたノズルＮからは、固化材ｇが、図４に示したように、斜面下方に水平に噴射される。噴射された固化材ｇは地盤２を切削していき、切削により生じた土砂と混合されていく。その際、ノズルＮを、その軸を回転軸として予め決めておいた首振り角度θ（例えば、噴出孔を斜面傾斜方向に水平に通る直線を中心として左右にθ／２ずつ）で首振り（回動）させながら徐々に上昇させていく。そうすることで、土砂と固化剤ｇとの混合物が水平断面扇形の柱状に形成されていく。
【００２４】
固化材ｇの噴射を終えた後は、芯材挿入工程に進む。芯材挿入工程では、改良体３１の中に芯材３２を挿入し、改良体３１の中に定着させる。具体的には、固化する前の改良体３１の斜面２１の中心よりも上方側の部位の上面から、芯材３２を、鉛直下方に向かって押し込む方法や、固化した改良体３１の斜面２１の上方側の部位の上面から、芯材３２の長さと同じで芯材３２の太さよりも径の大きな孔を鉛直下方に向かって穿孔し、そこに芯材３２を挿入したのちに、孔と芯材３２との隙間に所定量の充填材を注入する方法がある。改良体３１または充填材が固化すると、芯材３２が改良体に定着し、改良杭３となる。
【００２５】
この後、上述した、改良体形成工程および芯材設置工程を、機材Ｍを地盤２の連続する方向に改良杭３の設置間隔だけずらしながら複数回繰り返すことにより、地盤２内に、複数の改良杭３を、地盤２の連続する方向に沿って並ぶように設けていく。地盤２に所定数の改良杭３が設けられると、本実施形態のすべり破壊防止構造１となる。
【００２６】
（従来との比較）
次に、図５〜７を用いて、本実施形態の改良杭３を備えたすべり破壊防止構造１と、従来の円柱状の改良杭３Ａを備えたすべり破壊防止構造との比較結果について説明する。図５〜７において、（ａ）は本実施形態の改良杭３を示しており、（ｂ）は従来の改良杭３Ａであって、（ａ）に示した改良杭３と同じ水平断面積を有するものを示している。
【００２７】
まず、改良体の曲げ耐力を比較する。
改良杭の下部は、すべり面より下の崩壊しにくい強固な地盤内に設けられ、改良杭の上部には、すべりによる作用が働く。このため、改良杭には、その作用に対して破壊されないよう所定以上の曲げ耐力を有することが求められる。改良杭の曲げ耐力は、有効高さｄの大きさに比例して高くなることが知られている。有効高さｄは、図５に示したように、改良杭の斜面２１の傾斜方向一端から他端までの距離から、改良杭の斜面２１の上方側の端から芯材３２の軸までの距離ｄ１を差し引いたものとなる。
【００２８】
ここで、本実施形態の改良杭３と従来の改良杭３Ａにおける、斜面２１の傾斜方向一端から他端までの距離をそれぞれ比較してみる。図５（ｂ）に示した従来の改良杭３Ａは、水平断面（円）の半径をｒとしたとき、水平断面積はπｒ２、斜面２１の傾斜方向一端から他端までの距離（直径）は２ｒとなる。
これに対し、上記改良杭３Ａと同じ水平断面積（πｒ２）を有し、水平断面が中心角θの扇形をした改良杭における斜面２１の傾斜方向一端から他端までの距離（半径）は（３６０／θ）１／２ｒで表される。この値は、θ＝９０°のときに上記改良杭３Ａと等しくなり、θが９０°より小さくなるに従って上記改良杭３Ａよりも大きくなっていく。例えば、θ＝４５°としたときの本実施形態の改良杭３は、斜面２１の傾斜方向一端から他端までの距離（半径）が約２．８ｒとなり、上記従来の改良杭３Ａに比べ、１．４倍程度長くなる。
【００２９】
本実施形態の改良杭３は、斜面２１の上方側の端部が細くなっているので、芯材３２を、従来の改良杭３Ａよりも斜面２１下方寄りに配置する必要が生じる場合がある。しかし、θを９０°未満に設定することで、芯材を下方寄りに配置する分を差し引いたとしても有効高さｄを従来の円柱状の改良杭３Ａよりも長くとることができる。つまり、水平断面の中心角を９０°未満に設定した本実施形態の改良杭３は、従来の同水平断面積の改良杭３Ａと比べて曲げ耐力が向上しているということが言える。
【００３０】
次に、改良体と改良体との間の土砂のすり抜けにくさを比較する。
本実施形態の改良杭３も、従来の改良杭３Ａも、２本を並べると、図６に示したように、それぞれの斜面２１上方側を向く面が、向かい合うとともに、斜面２１上方側から斜面２１下方に向かうに従って間が狭まっていく。この改良杭３，３Ａと改良杭３，３Ａとの間に存在する土砂には、冒頭で説明したアーチ作用が働くこととなる。アーチ作用は、土砂のすり抜けに抵抗する面の面積が大きいほど、効果が大きくなることは上述した通りである。なお、土砂のすり抜けに抵抗する面は、本実施形態の改良杭３においては、図６（ａ）において太線で示した、斜面２１上方側を向く平面のうち、隣り合う改良杭３と対向する部分となり、従来の改良杭３Ａにおいては、図６（ｂ）において太線で示したように、斜面２１の上方側の半分のうち、隣り合う改良杭３Ａと対向する部分（円周の４分の１）となる。
【００３１】
ここで、本実施形態の改良杭３と従来の改良杭３Ａにおける、土砂のすり抜けに抵抗する面の面積をそれぞれ比較してみる。図６（ｂ）に示した従来の改良杭３Ａにおける土砂のすり抜けに抵抗する面の面積は、側周面全体の１／４ということになるので、改良杭３Ａの水平断面の半径をｒ、高さをｈとすると（π／２）ｒｈとなる。
これに対し、上記改良杭３Ａと同じ水平断面積（πｒ２）を有し、水平断面が中心角９０°未満の扇形をした本実施形態の改良杭３は、斜面２１の傾斜方向一端から他端までの距離が２ｒを上回る。この長さは、側面の幅においても同じであるから、改良杭３の高さをｈとしたときのこの面の面積は２ｒｈ超となる。例えば、θ＝４５°としたときの本実施形態の改良杭３は、土砂のすり抜けに抵抗する面の面積が約２．８ｒｈとなり、上記従来の改良杭３Ａに比べ、１．８倍程度広くなる。
【００３２】
本実施形態の改良杭３は、θを９０°未満に設定したことで、従来の改良杭３Ａに比べ、土砂のすり抜けに抵抗する面の面積が大きく、摩擦抵抗力が大きくなるためアーチ作用が大きくなる。つまり、本実施形態の改良杭３と従来の改良杭３Ａが、それぞれ同じ間隔を空けて地盤２の中に設けられた場合、本実施形態の改良杭３が設けられた地盤２の方が、より土砂のすり抜けが抑制されることとなる。
【００３３】
次に、改良体の回転変位のしにくさを比較する。
改良体がすべりに伴い斜面２１上方側から作用を受けると、改良体が斜面２１下方に前のめりに回転変位しようとし、改良体の基礎底面の斜面２１下方側の端部がその下の土砂を圧縮しようとする。その際、当該底面の斜面２１下方側の端部が、その下の地盤２から地盤反力を受ける。このような形で地盤反力を受ける場合、地盤反力は、当該底面の斜面２１下方側の端部（地盤反力を受ける部分）が広いほど大きくなる。
【００３４】
ここで、本実施形態の改良杭３と従来の改良杭３Ａにおける、土砂のすり抜けに抵抗する面の面積をそれぞれ比較してみる。本実施形態の改良杭３および従来の改良杭３Ａの下面において、斜面２１下方側の端から、半径ｒを超えない所定距離ｄ２だけ上方側に、下面と平行で斜面２１の傾斜方向と直交する直線を引き、斜面２１下方側の端を含む円弧と直線に囲まれる部分の面積を比較すると、図７に示したように、本実施形態の改良杭３の方が広くなることが見て取れる。
本実施形態の改良杭３は、水平断面を扇形としたことで、上述したように、下面の斜面２１下方側の端部の面積が従来に比べて広くなっているので、従来の改良杭３Ａが受けていた地盤反力Ｆ２よりも大きな地盤反力Ｆ１を受けることになる。つまり、斜面の上方から同程度の作用を受けた場合、本実施形態の改良杭３の方が、より回転変位しにくいということが言える。
【００３５】
以上、本実施形態の改良杭３は、水平断面積が等しい従来の円柱状の改良杭３Ａと比べ、すべり破壊防止性能（曲げ耐力、すり抜けにくさ、回転変位のしにくさ）が高いことを示した。水平断面積が等しい場合、同じ長さ（高さ）の改良体を設けるのに必要となる固化材の量は、本実施形態の改良杭３も従来の改良杭３Ａも同じになる。つまり、本実施形態の改良杭３は、１本あたりの施工コストが従来と同程度ということになり、本実施形態のすべり破壊防止構造１は、従来と同程度の施工コストで、すべり破壊を従来よりも発生しにくくすることができる。
【００３６】
また、従来と同程度のすべり破壊防止効果が得られれば十分という場合に、本実施形態の改良杭３を、従来と同じ数だけ設けると、すべり破壊防止効果が過剰になってしまう。そのような場合には、すべり破壊防止効果が従来よりも下がらない範囲で、改良杭３の設置間隔を広げる、断面形状（扇形）の中心角を小さくする、或いは、有効高さｄを小さくすることもできる。そうすれば、使用する固化材ｇの量を減らしたり、工期を短くしたりすることができるので、従来と同程度のすべり破壊防止性能を得るのにかかるコストを低減することができる。
【００３７】
以上、本発明を実施形態に基づいて具体的に説明してきたが、本発明は上記実施形態に限定されるものではなく、その要旨を逸脱しない範囲で変更可能である。
例えば、上記実施形態では、一の斜面にだけすべり破壊防止構造１を設けた場合について説明したが、盛土のように、延設方向と直交する平面で切断した時の断面が両側に斜面を有する台形をしている場合には、それぞれの斜面に改良杭３を設けるようにするとよい。
また、上記実施形態では、改良杭３を、地盤２の連続する方向に１列に並べた場合について説明したが、斜面２１の傾斜方向にも複数並べて設けるようにしてもよい。
【符号の説明】
【００３８】
１     すべり破壊防止構造
２     地盤
２１   斜面
２２   すべり面
３     改良杭
３Ａ   従来の改良杭
３１   改良体
３２   芯材
Ｍ     機材
Ｎ     ノズル
ｇ     固化材
θ     中心角（首振り角度）
ｄ１   距離
ｄ２   所定距離
Ｆ１，Ｆ２    反力
Ａ     アーチ状の帯域
Ｆ３   摩擦抵抗力
Ｆ４   軸圧縮力
【図１】
2018021353.tif 000003
【図２】
2018021353.tif 000004
【図３】
2018021353.tif 000005
【図４】
2018021353.tif 000006
【図５】
2018021353.tif 000007
【図６】
2018021353.tif 000008
【図７】
2018021353.tif 000009
【図８】
2018021353.tif 000010